(57)【要約】【課題】カメラのファインダーを覗き込まなくても、撮影者の意図どおりの姿勢や構図で、被写体の写真が撮れるようにする。【解決手段】発光部は、複数の光線を照射する。撮影部は、被写体を撮影し、撮影画像データを出力する。制御部は、複数の光線のうち、既定された光線が、被写体に照射されている時に、撮影画像データを記憶部に記憶する。例えば、制御部は、撮影画像データに写る各光線の光の数や形状を認識し、光の数や形状が予め記憶された既定の条件に合致するか比較し、合致していると判断した場合、その時点の撮影画像データを記憶部に記憶する。或いは、制御部は、被写体に投影された光の数や形状を認識した撮影者からのシャッターＯＮの指示に応じて、その時点の撮影画像データを記憶部に記憶する。【選択図】図１
2014192730.tif 000002
【特許請求の範囲】
【請求項１】
複数の光線を照射する発光部と、
被写体を撮影し、撮影画像データを出力する撮影部と、
前記撮影部から出力された撮影画像データを処理する制御部と、
前記撮影画像データを記憶する記憶部と
を具備し、
前記制御部は、前記複数の光線のうち、既定された光線が、前記被写体に照射されている時に、前記撮影画像データを前記記憶部に記憶する
撮影装置。
【請求項２】
請求項１に記載の撮影装置であって、
前記制御部は、前記撮影画像データを解析した際、前記複数の光線の各々について、前記被写体に投影された光の数を認識し、前記投影された光の数が、既定の数に関する条件に合致するか比較し、合致していると判断した場合、前記既定された光線が、前記被写体に照射されていると判断し、前記撮影画像データを前記記憶部に記憶する
撮影装置。
【請求項３】
請求項１又は２に記載の撮影装置であって、
前記制御部は、前記撮影画像データを解析した際、前記複数の光線の各々について、前記被写体に投影された光の形状を認識し、前記投影された光の形状が、既定の大きさに関する条件に合致するか比較し、合致していると判断した場合、前記既定された光線が、前記被写体に照射されていると判断し、前記撮影画像データを前記記憶部に記憶する
撮影装置。
【請求項４】
請求項１乃至３のいずれか一項に記載の撮影装置であって、
前記制御部は、前記撮影画像データを解析した際、前記複数の光線の各々について、前記被写体に投影された光の形状を認識し、既定の数の光の形状の大きさが誤差の範囲内で同じであると判断した場合、前記撮影画像データを前記記憶部に記憶する
撮影装置。
【請求項５】
請求項１乃至４のいずれか一項に記載の撮影装置であって、
前記発光部は、前記被写体に当てる第１の光線と、前記被写体に当てない第２の光線とを識別可能に照射し、
前記制御部は、前記撮影画像データを解析した際、前記第１の光線が前記被写体に照射されており、前記第２の光線が前記被写体に照射されていないと判断した場合、前記撮影画像データを前記記憶部に記憶する
撮影装置。
【請求項６】
請求項１乃至５のいずれか一項に記載の撮影装置であって、
前記発光部は、前記被写体に当てる第１の光線と、前記被写体に当てない第２の光線とを識別可能に照射し、
前記制御部は、前記撮影画像データを解析した際、前記第１の光線により投影された光の形状の大きさと、前記第２の光線により投影された光の形状の大きさとが誤差の範囲を超えて異なる場合、前記撮影画像データを前記記憶部に記憶する
撮影装置。
【請求項７】
請求項１乃至６のいずれか一項に記載の撮影装置であって、
前記複数の光線のうち、既定された光線が、前記被写体に照射されている時に、撮影者がシャッターＯＮを指示するための入力部
を更に具備し、
前記発光部は、前記複数の光線として可視光線を照射し、
前記制御部は、前記シャッターＯＮの指示に応じて、前記撮影画像データを前記記憶部に記憶する
撮影装置。
【請求項８】
請求項１乃至７のいずれか一項に記載の撮影装置であって、
前記制御部は、前記撮影画像データを前記記憶部に記憶した際、シャッター音に相当する音の出力、前記複数の光線の発光パターンの変更、又は本体の振動のうち少なくとも１つを実施し、撮影者に対して、前記撮影画像データを前記記憶部に記憶した旨を通知する
撮影装置。
【請求項９】
複数の光線を照射することと、
被写体を撮影し、撮影画像データを出力することと、
前記複数の光線のうち、既定された光線が、前記被写体に照射されている時に、前記撮影画像データを前記記憶部に記憶することと
を含む
撮影方法。
【請求項１０】
複数の光線を照射するステップと、
被写体を撮影し、撮影画像データを出力するステップと、
前記複数の光線のうち、既定された光線が、前記被写体に照射されている時に、前記撮影画像データを前記記憶部に記憶するステップと
を計算機に実施させるための
プログラム。
【発明の詳細な説明】
【技術分野】
【０００１】
本発明は、撮影装置に関し、特に撮影者の意図する写真を撮影する撮影装置に関する。
【背景技術】
【０００２】
従来、撮影者（利用者）の意図する写真を撮影するために、被写体（対象物）までの距離を測定し、その距離に応じて、フォーカス（ｆｏｃｕｓ）等のカメラパラメータを設定する方法（オートフォーカス）が提案されている。特に、被写体が人間である場合、被写体の顔を自動的に検出し、被写体の顔にフォーカスを合わせる等の方法が提案されている。
【０００３】
また、被写体が動いている場合には、被写体が撮影者の意図する状態になっている間の短い時間に、シャッターチャンスを逃さないために、被写体を連続的に撮影する連写機能や、動画で撮影してからフレームを切り出す切り出し機能、被写体の笑顔を検知することでシャッターを押す笑顔撮影機能等が提案されている。
【０００４】
例えば、特許文献１（特開２００９−００５３１６号公報）に画像撮影装置が開示されている。この画像撮影装置は、笑顔検出によって撮影タイミングを自動決定し、笑顔の持続時間内で被写体の笑顔を確実に撮影する。
【０００５】
近年、カメラ等（ビデオカメラ、カメラ機能付き電子機器等も含む）の普及により、赤ちゃんやペット等の写真を継続的に撮影して保存・蓄積し、成長記録や健康管理に利用するという需要が高まっている。
【０００６】
例えば、現在、ペットの健康状態把握の指標として、ＢＣＳ（Ｂｏｄｙ  Ｃｏｎｄｉｔｉｏｎ  Ｓｃｏｒｅ）という指標が提案されている。ＢＣＳは、体重だけでなく、視覚的判断／触診により体格や体型も含めて皮下脂肪の蓄積度合いを総合的に判断する基準であり、犬を始めとするペットの肥満度測定等に利用されている。近年のペットブームの中で、獣医等の特別な／専門の医療機関ではなく、個人でＢＣＳを測定し、自身のペットの健康管理に役立てたいという需要が高まっている。
【０００７】
ＢＣＳの視覚判断実施においては、ペットが四足で立った状態での頭上から見たシルエットと、事前に（予め）用意したテンプレートのシルエットを比較し、比較結果に応じて肥満度を１〜５の５段階に分類する。通常、ペットが四足で立った状態での頭上から見たシルエットの取得には、立った状態のペットを頭上からカメラ等で撮影するという方法が採用されている。
【０００８】
また、赤ちゃんやペット等の被写体を撮影する場合において、撮影者の意図する姿勢や撮影構図等の状態の際に、シャッターチャンスを逃さずに撮影したいという需要も高まっている。
【０００９】
しかし、撮影者の意図を理解し撮影に協力的な被写体を撮影する場合と異なり、撮影者の意図を理解しない被写体や、撮影に非協力的な被写体を撮影する場合、撮影者の撮影行為等に被写体が反応してしまい、撮影者の希望どおりの姿勢や構図で、被写体の写真が撮れないという問題がある。
【先行技術文献】
【特許文献】
【００１０】
【特許文献１】特開２００９−００５３１６号公報
【発明の概要】
【発明が解決しようとする課題】
【００１１】
個人でＢＣＳを測定する場合、設備の整った医療機関で撮影するのとは異なり、ペットの面倒を見つつ、ペットを前方（上方）からカメラで撮影するという行為を一人で行わなければならない。
【００１２】
また、撮影者が希望する姿勢やカメラアングルで、赤ちゃんやペット等の被写体を撮影する場合、被写体の面倒を見つつ、カメラ操作（カメラアングル、ズーム、画角の設定、シャッター操作等）を行わなければならない。
【００１３】
撮影者の意図を理解しない被写体や、撮影に非協力的な被写体について、ＢＣＳ用の写真を撮影する場合や、撮影者が意図する写真を撮影する場合には、以下のような様々な問題があり、個人（一人）で撮影するのは非常に困難であった。
【００１４】
例えば、撮影中も被写体は動いてしまい、カメラのファインダーに収めることが困難であった。赤ちゃんやペット等の被写体は撮影者のカメラを撮影しようとする動きに反応してしまうため、撮影者が被写体に対応できる姿勢をとる必要があり、撮影者の動きに制限がある。
【００１５】
通常のカメラでは、被写体の撮影状態を確認するため、カメラのファインダーを覗く必要があるが、撮影者がカメラを構えて前方から撮影している場合を除いては、ファインダーを覗くことと、被写体に対応できる姿勢をとることの両立が難しい。また、ファインダーの大きさも限られているため、姿勢をとることができたとしても、撮影状態の確認が難しい。
【００１６】
被写体が撮影者の希望どおりの姿勢している時間は短いことが多く、被写体が正しい姿勢をとっても、シャッターチャンスを逃してしまう可能性がある。
【００１７】
本発明の目的は、撮影者の意図どおりの姿勢や構図で、被写体の写真が撮れる撮影装置を提供することである。
【課題を解決するための手段】
【００１８】
本発明に係る撮影装置は、複数の光線を照射する発光部と、被写体を撮影し、撮影画像データを出力する撮影部と、撮影部から出力された撮影画像データを処理する制御部と、撮影画像データを記憶する記憶部とを備える。制御部は、複数の光線のうち、既定された光線が、被写体に照射されている時に、撮影画像データを記憶部に記憶する。
【００１９】
本発明に係る撮影方法は、複数の光線を照射することと、被写体を撮影し、撮影画像データを出力することと、複数の光線のうち、既定された光線が、被写体に照射されている時に、撮影画像データを記憶部に記憶することとを含む。
【００２０】
本発明に係るプログラムは、上記の撮影方法における処理を、計算機に実行させるためのプログラムである。なお、本発明に係るプログラムは、記憶装置や記憶媒体に格納することが可能である。
【発明の効果】
【００２１】
撮影者がファインダーを覗くことなく、赤ちゃんやペット等の被写体の撮影者の意図する姿勢や撮影構図等の状態の際に、シャッターチャンスを逃さずに撮影することができる。
【図面の簡単な説明】
【００２２】
【図１】本発明に係る撮影装置の基本構成例を示す図である。
【図２】投影される光の円の広がりについて説明するための図である。
【図３】本発明に係る撮影装置の具体的な構成例を示す図である。
【図４】被写体に光の円が投影された状態について説明するための図である。
【図５】被写体に向けて６つの光線を照射した状態について説明するための図である。
【図６】被写体に投影される光の円の広がりと、被写体以外に投影される光の円の広がりの違いについて説明するための図である。
【図７】複数の光線が全て被写体に照射されている状態と、そうでない状態の違いについて説明するための図である。
【図８】被写体に投影する第１のグループの光と、被写体には投影しない第２のグループの光（ＮＧ光）について説明するための図である。
【図９】被写体に投影する第１のグループの光の円の大きさと、被写体には投影しない第２のグループの光（ＮＧ光）の円の大きさの違いについて説明するための図である。
【発明を実施するための形態】
【００２３】
＜全体概要＞
以下に、本発明について添付図面を参照して説明する。
【００２４】
［基本構成］
図１を参照して、本発明に係る撮影装置の基本的な構成例について説明する。
【００２５】
本発明に係る撮影装置１０は、発光部１１と、撮影部１２と、制御部１３と、記憶部１４を備える。
【００２６】
撮影装置１０は、被写体を撮影するための機器である。撮影装置１０の例として、カメラ（デジタルカメラ）、カメラ付き携帯電話、カメラ付きスマートフォン、タブレットやパソコン等のカメラ付き情報処理装置等が考えられる。但し、実際には、これらの例に限定されない。
【００２７】
被写体の例として、動物や虫、魚、鳥、爬虫類、両生類等の生物全般、或いは、赤ちゃんや子供（乳幼児・児童）等が考えられる。また、被写体は、無作為に動くものや、撮影装置１０に対して相対的に動くものでも良い。また、ＢＣＳ測定（Ｂｏｄｙ  Ｃｏｎｄｉｔｉｏｎ  Ｓｃｏｒｉｎｇ）をするダックスフントのように、撮影の目的やシチュエーションと組み合わせた被写体でも良い。無論、撮影装置１０は、撮影装置１０に対して静止している被写体についても、通常のカメラ等と同様に撮影することができる。しかし、本発明には直接関係ないため、説明は省略する。但し、実際には、これらの例に限定されない。
【００２８】
発光部１１は、光源として発光し、光線を照射（又は放射）する。ここでは、発光部１１は、被写体に対して、複数の光線を照射する。発光部１１は、複数の光線を照射する場合、光線毎に色／周波数を変えることも可能である。例えば、発光部１１の光源が複数である場合、複数の光源の各々が異なる色／周波数の光線を照射するようにしても良い。或いは、発光部１１の光源が１つである場合、複数の照射口（開口）を用意して、それぞれの照射口から異なる色／周波数の光線を照射するようにしても良い。発光部１１の例として、電球、ＬＥＤ（Ｌｉｇｈｔ  Ｅｍｉｔｔｉｎｇ  Ｄｉｏｄｅ）、有機ＥＬ（Ｏｒｇａｎｉｃ  Ｅｌｅｃｔｒｏ−Ｌｕｍｉｎｅｓｃｅｎｃｅ）等や、レーザー又は赤外線等の光線を照射する機器／素子等が考えられる。なお、発光部１１の発光側には、距離が長くなるにつれて照射される光が広がっていくレンズが設けられていても良い。レンズの材質については、プラスチック、アクリル、ガラス等が考えられるが、特に材質は問わない。但し、光線とレンズの関係は、１ｍ〜１．５ｍ位でも床や壁に投影される光の円が拡散せずに、光の円の輪郭が撮影装置１０で識別できることが望ましい。図２に示すように、発光部１１から照射された各光線は、発光部１１の発光側に設けられたレンズを通して、距離が長くなるにつれて、投影される光の円が大きくなるように、広がっていく。ここでは、説明の簡略化のために、投影される光の形状を円として説明しているが、実際には、投影される光の形状は、円に限らず、四角や三角、星型、その他の形状でも良い。また、光線については、可視光線を想定しているが、撮影装置１０が認識可能であれば、赤外線や紫外線等の不可視光線でも良い。但し、実際には、これらの例に限定されない。
【００２９】
撮影部１２は、被写体を撮影し、撮影画像データ（例えば、動画）を出力する。ここでは、撮影部１２は、本体又はカメラ機能等が起動している間、常時、撮影方向に存在する被写体を継続的に撮影し、撮影している間の撮影画像データを出力する。撮影部１２の例として、電荷結合素子（ＣＣＤ：Ｃｈａｒｇｅ  Ｃｏｕｐｌｅｄ  Ｄｅｖｉｃｅ）や相補性金属酸化膜半導体（ＣＭＯＳ：Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子（ｉｍａｇｅ  ｓｅｎｓｏｒ）と、撮像素子からのアナログ信号を増幅するアンプと、アナログ信号をデジタル信号に変換する高速アナログ／デジタル変換器の組み合わせ等が考えられる。撮影画像データは、写真の候補となる画像データである。例えば、デジタルカメラのファインダー越しに見えている光景等の映像データである。撮影画像データは、記憶部１４に（一時的ではなく）正式に記憶された時点で、写真／映像として確定する。すなわち、撮影部１２から出力された撮影画像データを、記憶部１４に正式に記憶し、写真／映像として確定することは、通常のカメラ等における「シャッターＯＮ」に相当する。なお、撮影画像データは、静止画でも動画でも良い。但し、実際には、これらの例に限定されない。
【００３０】
制御部１３は、発光部１１から照射された光線により、光の円が被写体に投影されている時に、撮影部１２から出力された撮影画像データを処理する。また、制御部１３は、記憶部１４に記憶されたプログラムを実行する。また、制御部１３は、撮影装置１０自体の各種機能を制御する。制御部１３の例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、或いは、専用の機能を有する半導体集積回路（ＬＳＩ：Ｌａｒｇｅ  Ｓｃａｌｅ  Ｉｎｔｅｇｒａｔｉｏｎ）等が考えられる。但し、実際には、これらの例に限定されない。
【００３１】
記憶部１４は、撮影部１２から出力された撮影画像データや、制御部１３で実行されるプログラム等を記憶する。記憶部１４の例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）等のリムーバブルディスクや、ＳＤメモリカード（Ｓｅｃｕｒｅ  Ｄｉｇｉｔａｌ  ｍｅｍｏｒｙ  ｃａｒｄ）等の記憶媒体（メディア）等が考えられる。また、バッファ（ｂｕｆｆｅｒ）やレジスタ（ｒｅｇｉｓｔｅｒ）等でも良い。或いは、ＤＡＳ（Ｄｉｒｅｃｔ  Ａｔｔａｃｈｅｄ  Ｓｔｏｒａｇｅ）、ＦＣ−ＳＡＮ（Ｆｉｂｒｅ  Ｃｈａｎｎｅｌ  −  Ｓｔｏｒａｇｅ  Ａｒｅａ  Ｎｅｔｗｏｒｋ）、ＮＡＳ（Ｎｅｔｗｏｒｋ  Ａｔｔａｃｈｅｄ  Ｓｔｏｒａｇｅ）、ＩＰ−ＳＡＮ（ＩＰ  −  Ｓｔｏｒａｇｅ  Ａｒｅａ  Ｎｅｔｗｏｒｋ）等を用いたストレージ装置でも良い。但し、実際には、これらの例に限定されない。
【００３２】
［実施構成］
図３を参照して、本発明に係る撮影装置の具体的な構成例について説明する。
【００３３】
本発明に係る撮影装置１０は、発光部１１と、撮影部１２と、制御部１３と、記憶部１４と、解析部１５と、入力部１６と、表示部１７と、調整部１８と、音出力部１９を備える。
【００３４】
発光部１１、撮影部１２、解析部１５、及び記憶部１４については、前述の通りである。
【００３５】
解析部１５は、撮影部１２から出力された撮影画像データを解析する。例えば、解析部１５は、撮影部１２から出力された撮影画像データが動画の場合、１コマ毎に、又は、既定間隔のコマ毎の静止画像データを解析する。ここでは、解析部１５は、撮影部１２の撮影範囲内に被写体が収まった際に、発光部１１から照射される光線により被写体に投影された光が既定の条件を満たす場合、その時点の撮影画像データを、記憶部１４に正式に記憶し、写真／映像として確定する。解析部１５の例として、ＣＰＵ（Ｃｅｎｔｒａｌ  Ｐｒｏｃｅｓｓｉｎｇ  Ｕｎｉｔ）、ネットワークプロセッサ（ＮＰ：Ｎｅｔｗｏｒｋ  Ｐｒｏｃｅｓｓｏｒ）、マイクロプロセッサ（ｍｉｃｒｏｐｒｏｃｅｓｓｏｒ）、マイクロコントローラ（ｍｉｃｒｏｃｏｎｔｒｏｌｌｅｒ）、或いは、専用の機能を有する半導体集積回路（ＬＳＩ：Ｌａｒｇｅ  Ｓｃａｌｅ  Ｉｎｔｅｇｒａｔｉｏｎ）等が考えられる。すなわち、制御部１３と解析部１５は、同一の装置でも良い。例えば、制御部１３が、解析部１５の機能を実現するプログラムを実行するようにしても良い。また、制御部１３と解析部１５は、互いに独立した装置でも良い。いずれにしても、制御部１３と解析部１５は、連携可能であれば良い。但し、実際には、これらの例に限定されない。
【００３６】
入力部１６は、撮影者の操作に応じて、撮影装置１０の起動、撮影装置１０の機能の選択／決定等を行う。例えば、入力部１６は、電源スイッチやシャッターボタン等の用途で使用される。入力部１６の例として、本体に搭載された各種ボタン、タッチパネル（ｔｏｕｃｈ  ｐａｎｅｌ）、又は入力端子等が考えられる。また、入力部１６は、音声入力装置や、センサ等の検知情報に応じて入力を行う入力装置等でも良い。但し、実際には、これらの例に限定されない。
【００３７】
表示部１７は、撮影部１２から出力された撮影画像データや、入力部１６が選択する機能等のメニューを表示する。また、表示部１７は、カメラのファインダーとなる場合もある。表示部１７の例として、ＬＣＤ（液晶ディスプレイ）やＰＤＰ（プラズマディスプレイ）、有機ＥＬディスプレイ等の表示装置等が考えられる。但し、実際には、これらの例に限定されない。
【００３８】
調整部１８は、発光部１１の向きを動かし、光線の照射方向を変更する。調整部１８の例として、発光部１１を搭載可能で、手動で発光部１１の位置／向きを変更可能な部位／機構等が考えられる。また、調整部１８は、モータやアクチュエータ、歯車等の動力機構でも良い。但し、実際には、これらの例に限定されない。
【００３９】
音出力部１９は、シャッター音に相当する音を出力する。音出力部１９の例として、一般的なスピーカー（Ｓｐｅａｋｅｒ）やイヤフォン（Ｅａｒｐｈｏｎｅ）、又は音声出力端子等が考えられる。但し、実際には、これらの例に限定されない。
【００４０】
［事前準備］
撮影装置１０を出荷する際の準備について説明する。なお、撮影装置１０が準備済で出荷される場合は、この準備は必要ない。
【００４１】
撮影装置１０の記憶部１４に、本発明を実行するプログラムがインストールされていない場合、撮影装置１０にプログラムをインストールし、記憶部１４にプログラムを記憶する。
【００４２】
発光部１１が撮影装置１０本体とは別に提供される場合、撮影装置１０本体に発光部１１を装着する。
【００４３】
撮影装置１０の制御部１３は、記憶部１４に記憶されたプログラムを実行し、入力部１６に対する撮影者の操作により、撮影者が撮影したい被写体が選択され、表示部１７に被写体が表示された場合、撮影部１２に撮影開始指示を伝達し、発光部１１に発光指示を伝達することができる。
【００４４】
ＢＣＳ測定を実施する場合、記憶部１４は、被写体に関連付けられたシルエット画像データを記憶している。シルエット画像データは、「被写体のシルエット」と「光線の照射位置」とを印した画像データである。この場合、制御部１３は、選択された被写体に関連付けられて記憶部１４に記憶されているシルエット画像データを、撮影部１２で撮影し出力される撮影画像データに重ね合わせて合成し、表示部１７に表示する。
【００４５】
制御部１３は、調整部１８に指示し、撮影部１２で撮影し出力される撮影画像データのシルエット画像データの照射位置に光線が照射されるように、発光部１１の向き（角度）を動かす。また、制御部１３は、調整部１８に指示し、撮影部１２のズーム（拡大・縮小）／パーン（縦横に振ること、チルトも含む）に応じて、発光部１１の向き（角度）を動かしても良い。なお、撮影者が調整部１８（又は発光部１１自体）を手動で動かす場合、撮影者が表示部１７を確認しながら、光線の照射方向を変更する。
【００４６】
撮影装置１０による被写体の撮影は、撮影装置１０を撮影者が手に持ち、光線と被写体との関係を見ながら、光線と被写体との関係が最適になるように、被写体との距離や照射方向の調整を行うと考えられる。但し、撮影装置１０を三脚等で固定しても良い。
【００４７】
なお、ＢＣＳ測定を実施しない場合、シルエット画像データに関する処理は不要である。
【００４８】
［手順］
本発明では、撮影している間に、照射された光線により被写体に投影された「光の円」が既定の条件に合致していると判断した時点で、シャッターＯＮする。
【００４９】
例えば、図４に示すように、被写体に向けて光線を照射した際に、被写体に光の円が投影されていれば、シャッターＯＮする。なお、被写体に光の円が投影されていると判断するための条件として、様々な例が考えられる。詳細については、後述の各実施形態において説明する。
【００５０】
（１）撮影開始
制御部１３は、電源スイッチ等の入力部１６からの信号に応じて、撮影部１２に撮影開始指示を伝達する。撮影部１２は、制御部１３からの撮影開始指示に従って、撮影を開始し、入力される光を電気信号に変換し、撮影画像データ（例えば、動画）を生成し、解析部１５と表示部１７に出力する。なお、撮影画像データを、解析部１５の処理時間分等、遡って記憶部１４に記憶できるように、既定の時間分、一時的に記憶部１４に記憶しても良い。
【００５１】
（２）画像表示
表示部１７は、撮影部１２から出力された撮影画像データを表示する。ここでは、表示部１７は、ファインダーとして機能する。
【００５２】
（３）光線照射
制御部１３は、発光部１１に発光指示を伝達する。なお、実際には、制御部１３は、撮影部１２に撮影開始指示を伝達する際に、同時に／続けて、発光部１１に発光指示を伝達しても良い。発光部１１は、制御部１３からの発光指示に従って、光線を照射する。
【００５３】
（４）シャッターＯＮ
解析部１５は、撮影部１２から出力された撮影画像データに写る各光線の光の円を認識し、光の円が予め記憶された既定の条件に合致（適合）するか比較（照合）する。例えば、被写体に写る光の光度や彩度等の違いにより、光の形の輪郭を識別することで認識する。合致していると判断した場合、その時点の撮影画像データを記憶部１４に記憶する（シャッターＯＮする）。なお、被写体に投影された光の円と、既定の条件とは、多少は違っていても良い。すなわち、誤差の範囲内であれば、合致していると判断するようにしても良い。
【００５４】
［シャッターＯＮの通知］
撮影画像データが記憶部１４に記憶された時、制御部１３は、音出力部１９に、シャッター音に相当する音を出力するための音出力指示を伝達するようにしても良い。音出力部１９は、音出力指示に従って、記憶部１４に記憶された既定の音データを音信号に変換してスピーカー等から出すことで、シャッター音に相当する音を出力する。撮影者は、音出力部１９から出力された音（シャッター音に相当する音）を聴くことで、その時点の撮影画像データが記憶部１４に記憶されたこと（シャッターＯＮされたこと）を認識する。
【００５５】
また、制御部１３は、発光部１１に、シャッターＯＮされたことを示すための光線変化指示を伝達するようにしても良い。発光部１１は、光線変化指示に従って、被写体に照射している光線を、それまでの発光パターンとは異なる発光パターンに変更する。例えば、光線の色／周波数や発光間隔を変更する。撮影者は、変更された発光パターンを見ることで、その時点の撮影画像データが記憶部１４に記憶されたこと（シャッターＯＮされたこと）を認識する。
【００５６】
また、制御部１３は、シャッターＯＮされたことを示すため、本体のバイブレーション機能を起動し、筐体を振動させるようにしても良い。撮影者は、筐体の振動を感知することで、その時点の撮影画像データが記憶部１４に記憶されたこと（シャッターＯＮされたこと）を認識する。
【００５７】
このように、撮影装置１０は、撮影画像データが記憶部１４に記憶されたこと（シャッターＯＮされたこと）を撮影者に認識させるために、何らかの動作をしても良い。但し、実際には、これらの例に限定されない。
【００５８】
これにより、ファインダーを覗き込まなくても、撮影者の意図どおりの姿勢や構図で、被写体の写真が撮れる。
【００５９】
＜第１実施形態＞
以下に、本発明の第１実施形態について説明する。
【００６０】
本実施形態では、撮影している間に、照射された光線により被写体に投影された「光の円の数」が既定の数（閾値等）に達していると判断した時点で、シャッターＯＮする。なお、実際には、被写体に投影された光の円の数が、既定の上限値と下限値の範囲内（許容範囲内）に収まっていると判断した時点で、シャッターＯＮするようにしても構わない。
【００６１】
例えば、図５に示すように、被写体に向けて６つの光線を照射した際に、被写体に６つの光が投影されていれば、シャッターＯＮする。
【００６２】
（１）撮影開始
制御部１３は、電源スイッチ等の入力部１６からの信号に応じて、撮影部１２に撮影開始指示を伝達する。撮影部１２は、制御部１３からの撮影開始指示に従って、撮影を開始し、入力される光を電気信号に変換し、撮影画像データ（例えば、動画）を生成し、解析部１５と表示部１７に出力する。なお、撮影画像データを、解析部１５の処理時間分等、遡って記憶部１４に記憶できるように、既定の時間分、一時的に記憶部１４に記憶しても良い。
【００６３】
（２）画像表示
表示部１７は、撮影部１２から出力された撮影画像データを表示する。ここでは、表示部１７は、ファインダーとして機能する。
【００６４】
（３）光線照射
制御部１３は、発光部１１に発光指示を伝達する。なお、実際には、制御部１３は、撮影部１２に撮影開始指示を伝達する際に、同時に／続けて、発光部１１に発光指示を伝達しても良い。発光部１１は、制御部１３からの発光指示に従って、光線を照射する。照射された各光線は、均等な太さ（幅）で照射される。したがって、被写体に投影される光の円の大きさも均等になる。なお、実際には、照射された各光線は、発光部１１の発光側に設けられたレンズを通して、距離が長くなるにつれて、投影される光の円が大きくなるように、広がっていくようにしても良い。
【００６５】
（４）シャッターＯＮ
解析部１５は、撮影部１２から出力された撮影画像データに写る各光線の光の円を認識し、光の円の数が予め記憶された既定の数（光線の総数でなくても良い）に達しているか確認し、達していると判断した場合、その時点の撮影画像データを記憶部１４に記憶する（シャッターＯＮする）。
【００６６】
［実施例］
例えば、入力部１６により選択された被写体がＢＣＳ測定をする犬の場合、頭に照射される光線「Ａ」と、首付近に照射される光線「Ｂ」と、胴体の右肩付近に照射される光線「Ｃ」と、胴体の左肩付近に照射される光線「Ｄ」と、胴体の背中（腹）付近に照射される光線「Ｅ」と、胴体のお尻付近に照射される光線「Ｆ」の６つの光線が、発光部１１から照射されるものとして説明する。
【００６７】
被写体に投影された光の円の数が６つである場合、光線「Ａ」、「Ｂ」、「Ｃ」、「Ｄ」、「Ｅ」、「Ｆ」が全て犬に照射されており、犬がＢＣＳ測定をする際の理想の直立不動の姿になっていると判定できる。
【００６８】
また、被写体に投影された光の円の数が６つでない場合、光線「Ａ」、「Ｂ」、「Ｃ」、「Ｄ」、「Ｅ」、「Ｆ」の６つの光線のうち、少なくとも１つの光線が犬に照射されていないと考えられるため、撮影装置１０の向きが不適切（犬が画角内に入っていない）か、犬が曲がっている等の理想の姿になっていないと判定できる。この場合、撮影者は、撮影装置１０の向きや犬の姿勢を動かして調整する。
【００６９】
＜第２実施形態＞
以下に、本発明の第２実施形態について説明する。
【００７０】
本実施形態では、撮影している間に、照射された光線により被写体に投影された「光の円の大きさ」が既定の大きさに合致していると判断した時点で、シャッターＯＮする。既定の大きさとは、光の形が円なら、撮影画像データ内での「円の半径や直径等の長さ」や「円の面積」等である。但し、実際に被写体に投影されている光の大きさである実寸を算出しても構わない。
【００７１】
例えば、図５に示すように、被写体に向けて６つの光線を照射した際に、被写体に投影された６つの光の円の大きさが全て既定の大きさであれば、シャッターＯＮする。ここでは、撮影装置１０と被写体との距離を事前に予測し、発光部１１から照射される光線と、予測された距離に基づいて、被写体に投影される光の円の大きさを推測し、推測された大きさを既定の大きさとして設定しておく。光の円の大きさが既定の大きさに合致した場合、撮影装置１０と被写体との距離は、事前に予測された距離となる。
【００７２】
（１）撮影開始
制御部１３は、電源スイッチ等の入力部１６からの信号に応じて、撮影部１２に撮影開始指示を伝達する。撮影部１２は、制御部１３からの撮影開始指示に従って、撮影を開始し、入力される光を電気信号に変換し、撮影画像データ（例えば、動画）を生成し、解析部１５と表示部１７に出力する。なお、撮影画像データを、解析部１５の処理時間分等、遡って記憶部１４に記憶できるように、既定の時間分、一時的に記憶部１４に記憶しても良い。
【００７３】
（２）画像表示
表示部１７は、撮影部１２から出力された撮影画像データを表示する。ここでは、表示部１７は、ファインダーとして機能する。
【００７４】
（３）光線照射
制御部１３は、発光部１１に発光指示を伝達する。なお、実際には、制御部１３は、撮影部１２に撮影開始指示を伝達する際に、同時に／続けて、発光部１１に発光指示を伝達しても良い。発光部１１は、制御部１３からの発光指示に従って、光線を照射する。照射された各光線は、発光部１１の発光側に設けられたレンズを通して、距離が長くなるにつれて、投影される光の円が大きくなるように、広がっていく。
【００７５】
（４）シャッターＯＮ
解析部１５は、撮影部１２から出力された撮影画像データに写る各光線の光の円を認識し、全てもしくは予め記憶された既定の数の光の円が予め記憶された既定の大きさ（既定の大きさに関する条件）に合致するか比較する。例えば、既定の大きさに関する条件として、光の円の直径が、予め記憶された既定の大きさと比較して、大きさがプラスマイナス５％以内の差異ならば、誤差の範囲として、既定の大きさに合致すると判断しても良い。被写体が動物の場合、高さが異なる首とお尻で若干大きさが異なる場合もあるためである。合致していると判断した場合、その時点の撮影画像データを記憶部１４に記憶する（シャッターＯＮする）。
【００７６】
［実施例］
例えば、入力部１６により選択された被写体がＢＣＳ測定をする犬の場合、頭に照射される光線「Ａ」と、首付近に照射される光線「Ｂ」と、胴体の右肩付近に照射される光線「Ｃ」と、胴体の左肩付近に照射される光線「Ｄ」と、胴体の背中（腹）付近に照射される光線「Ｅ」と、胴体のお尻付近に照射される光線「Ｆ」の６つの光線が、発光部１１から照射されるものとして説明する。
【００７７】
光線「Ａ」、「Ｂ」、「Ｃ」、「Ｄ」、「Ｅ」、「Ｆ」の光の円が既定の大きさであると判断した場合、光線「Ａ」、「Ｂ」、「Ｃ」、「Ｄ」、「Ｅ」、「Ｆ」が全て犬に照射されており、犬がＢＣＳ測定をする際の理想の直立不動の姿になっていると判定できる。
【００７８】
また、光線「Ａ」、「Ｂ」、「Ｃ」、「Ｄ」、「Ｅ」、「Ｆ」の光の円のうち、少なくとも１つの光の円の大きさが既定の大きさと違う（誤差の範囲を超えている）場合、撮影装置１０の向きが不適切（犬が画角内に入っていない）か、犬が曲がっている等の理想の姿になっていないと判定できる。この場合、撮影者は、撮影装置１０の向きや犬の姿勢を動かして調整する。
【００７９】
＜第３実施形態＞
以下に、本発明の第３実施形態について説明する。
【００８０】
本実施形態では、撮影している間に、被写体に投影された「光の円が全て同じ大きさ」（全ての光の円の大きさが均等）になった時点で、シャッターＯＮする。
【００８１】
被写体の前方（上方）から背景（床）方向に向けて、レンズを通して光線を照射した場合、図６に示すように、光源である発光部１１に対して、比較的近い位置にいる被写体に投影される光の円の大きさは、被写体よりも遠い位置になる背景（床）に投影される光の円の大きさよりも小さくなる。なお、背景は、壁や地面でも良い。
【００８２】
したがって、図７に示すように、各光線が全て被写体に照射されていれば、同じ被写体に投影された光の円の大きさは全て同じ大きさになると考えられる。また、被写体に投影されていない光の円の大きさは、被写体に投影された光の円の大きさとは異なると考えられる。なお、各光線が全て被写体に照射されていない場合も、被写体に投影されていない光の円の大きさが全て同じ大きさになる可能性がある。これについては、第２実施形態と組み合わせて光の円の大きさを既定することで対応できる。
【００８３】
（１）撮影開始
制御部１３は、電源スイッチ等の入力部１６からの信号に応じて、撮影部１２の撮影開始指示を伝達する。撮影部１２は、制御部１３からの撮影開始指示に従って、撮影を開始し、入力される光を電気信号に変換し、撮影画像データ（例えば、動画）を生成し、解析部１５と表示部１７に出力する。なお、撮影画像データを、解析部１５の処理時間分等、遡って記憶部１４に記憶できるように、既定の時間分、一時的に記憶部１４に記憶しても良い。
【００８４】
（２）画像表示
表示部１７は、撮影部１２から出力された撮影画像データを表示する。ここでは、表示部１７は、ファインダーとして機能する。
【００８５】
（３）光線照射
制御部１３は、発光部１１に発光指示を伝達する。なお、実際には、制御部１３は、撮影部１２に撮影開始指示を伝達する際に、同時に／続けて、発光部１１に発光指示を伝達しても良い。発光部１１は、制御部１３からの発光指示に従って、複数の光線を照射する。照射された各光線は、発光部１１の発光側に設けられたレンズを通して、距離が長くなるにつれて、投影される光の円が大きくなるように、広がっていく。
【００８６】
（４）シャッターＯＮ
解析部１５は、撮影部１２から出力された撮影画像データに写る各光線の光の円とその大きさを認識する。そして、各光線の光の円が全て略（ほぼ）同じ大きさであると判断した場合、その時点の撮影画像データを記憶部１４に記憶する（シャッターＯＮする）。条件として「略同じ大きさ」とした理由は、高さが異なる首とお尻で若干大きさが異なる場合もあるためである。例えば、各々の光の円の直径を比較して、大きさがプラスマイナス５％以内の差異なら、誤差の範囲内として略同じ大きさに合致すると判断しても良い。
【００８７】
［実施例］
例えば、入力部１６により選択された被写体がＢＣＳ測定をする犬の場合、頭に照射される光線「Ａ」と、首付近に照射される光線「Ｂ」と、胴体の右肩付近に照射される光線「Ｃ」と、胴体の左肩付近に照射される光線「Ｄ」と、胴体の背中（腹）付近に照射される光線「Ｅ」と、胴体のお尻付近に照射される光線「Ｆ」の６つの光線が、発光部１１から照射されるものとして説明する。
【００８８】
光線「Ａ」、「Ｂ」、「Ｃ」、「Ｄ」、「Ｅ」、「Ｆ」の光の円が（誤差の範囲内で）全て同じ大きさであると判断した場合、光線「Ａ」、「Ｂ」、「Ｃ」、「Ｄ」、「Ｅ」、「Ｆ」が全て犬に照射されており、犬がＢＣＳ測定をする際の理想の直立不動の姿になっていると判定できる。
【００８９】
また、光線「Ａ」、「Ｂ」、「Ｃ」、「Ｄ」、「Ｅ」、「Ｆ」の光の円のうち、少なくとも１つの光の円の大きさが（誤差の範囲を超えて）違う大きさであると判断した場合、撮影装置１０の向きが不適切（犬が画角内に入っていない）か、犬が曲がっている等の理想の姿になっていないと判定できる。この場合、撮影者は、撮影装置１０の向きや犬の姿勢を動かして調整する。
【００９０】
＜第４実施形態＞
以下に、本発明の第４実施形態について説明する。
【００９１】
本実施形態では、撮影している間に、「第１のグループの光の円が全て同じ大きさ」で、「第２のグループの光の円が被写体に投影されていない」場合、シャッターＯＮする。
【００９２】
例えば、図８に示すように、被写体に投影する第１のグループの光だけではなく、被写体には投影しない第２のグループの光（ＮＧ光）も考慮して、被写体の輪郭を確認し、撮影者の意図どおりの姿勢や構図であるか確認する。
【００９３】
（１）撮影開始
制御部１３は、電源スイッチ等の入力部１６からの信号に応じて、撮影部１２の撮影開始指示を伝達する。撮影部１２は、制御部１３からの撮影開始指示に従って、撮影を開始し、入力される光を電気信号に変換し、撮影画像データ（例えば、動画）を生成し、解析部１５と表示部１７に出力する。なお、撮影画像データを、解析部１５の処理時間分等、遡って記憶部１４に記憶できるように、既定の時間分、一時的に記憶部１４に記憶しても良い。
【００９４】
（２）画像表示
表示部１７は、撮影部１２から出力された撮影画像データを表示する。ここでは、表示部１７は、ファインダーとして機能する。
【００９５】
（３）光線照射
制御部１３は、発光部１１に発光指示を伝達する。なお、実際には、制御部１３は、撮影部１２に撮影開始指示を伝達する際に、同時に／続けて、発光部１１に発光指示を伝達しても良い。発光部１１は、制御部１３からの発光指示に従って、複数の異なるグループの光線を照射する。更に、同じグループで複数の光線を照射しても良い。
【００９６】
（４）シャッターＯＮ
解析部１５は、撮影部１２から出力された撮影画像データに写る各光線の光の円とその光の色とその円の大きさを認識し、どの光の円がどのグループに所属する光の円か、どの光の円がどの程度の大きさか認識する。そして、第１のグループの光線の光の円が略同じ大きさに合致したと判断し、かつ、第２のグループの光線の光の円が被写体に投影されていないと判断した場合、その時点の撮影画像データを記憶部１４に記憶する（シャッターＯＮする）。条件として「略同じ大きさ」とした理由は、高さが異なる首とお尻で若干大きさが異なる場合もあるためである。例えば、各々の光の円の直径を比較して、大きさがプラスマイナス５％以内の差異なら、誤差の範囲内として略同じ大きさに合致すると判断しても良い。
【００９７】
［実施例］
例えば、入力部１６により選択された被写体がＢＣＳ測定をする犬の場合、犬に当てる第１のグループの光線と、犬に当てない第２のグループの光線（ＮＧ光）が、発光部１１から照射されるものとして説明する。
【００９８】
なお、第１のグループには、頭に照射される光線「Ａ」と、首付近に照射される光線「Ｂ」と、胴体の右肩付近に照射される光線「Ｃ」と、胴体の左肩付近に照射される光線「Ｄ」と、胴体の背中（腹）付近に照射される光線「Ｅ」と、胴体のお尻付近に照射される光線「Ｆ」の６つの光線が含まれる。
【００９９】
また、第２のグループには、ＮＧ光として、犬の右横の頭側の床に照射される光線「Ｇ」と、犬の右横の尻側の床に照射される光線「Ｈ」と、犬の左横の頭側の床に照射される光線「Ｉ」と、犬の左横の尻側の床に照射される光線「Ｊ」の４つの光線が含まれる。ＮＧ光である光線「Ｇ」、「Ｈ」、「Ｉ」、「Ｊ」を、被写体（犬）に照射してはならない。
【０１００】
ここでは、グループの違いを「光の色」で識別しているが、「光の周波数」や「発光間隔」の違い等で光線のグループの違いを認識しても良い。例えば、第１のグループの光線の色を赤とし、第２のグループの光線の色を緑としても良い。
【０１０１】
光線「Ａ」、「Ｂ」、「Ｃ」、「Ｄ」、「Ｅ」、「Ｆ」の赤い色の円が（誤差の範囲内で）同じ大きさに合致したと判断し、光線「Ｇ」、「Ｈ」、「Ｉ」、「Ｊ」の緑色の円のうち、少なくとも１つの緑色の円が犬に投影されていないと判断した場合、光線「Ａ」、「Ｂ」、「Ｃ」、「Ｄ」、「Ｅ」、「Ｆ」が全て犬に照射されており、光線「Ｇ」、「Ｈ」、「Ｉ」、「Ｊ」が床に照射されており、犬が理想の姿になっていると判定できる。なお、「少なくとも１つの緑色の円が犬に投影されていないと判断した場合」には、緑色の円の形や輪郭がぼやけていて認識できない場合を含めても良い。
【０１０２】
また、光線「Ａ」、「Ｂ」、「Ｃ」、「Ｄ」、「Ｅ」、「Ｆ」の赤い色の円のうち、少なくとも１つの赤い色の円の大きさが（誤差の範囲を超えて）違う大きさであると判断した場合か、少なくとも１つの赤い色の円が犬に投影されていないと判断した場合、犬と撮影の画角が理想的でないと判定できる。この場合、撮影者は、撮影装置１０の向きや犬の姿勢を動かして調整する。なお、「少なくとも１つの赤い色の円が犬に投影されていないと判断した場合」には、赤い色の円の形や輪郭がぼやけていて認識できない場合を含めても良い。
【０１０３】
また、光線「Ｇ」、「Ｈ」、「Ｉ」、「Ｊ」の緑色の円のうち、少なくとも１つの緑色の円が犬に投影されていると判断した場合、犬と撮影装置１０の向きが理想的でない（画角に入っていない）、又は、犬が理想の姿になっていないと判定できる。この場合、撮影者は、撮影装置１０の向きや犬の姿勢を動かして調整する。
【０１０４】
＜第５実施形態＞
以下に、本発明の第５実施形態について説明する。
【０１０５】
本実施形態では、撮影している間に、「第１のグループの光の円が全て同じ大きさ」で、「第２のグループの光の円が第１のグループの光の円より大きい」という状態になった時点で、シャッターＯＮする。
【０１０６】
第３実施形態でも説明したように、被写体の前方（上方）から背景（床）方向に向けて、レンズを通して光線を照射した場合、図６に示すように、光源である発光部１１に対して、比較的近い位置にいる被写体に投影される光の円の大きさは、被写体よりも遠い位置になる背景（床）に投影される光の円の大きさよりも小さくなる。
【０１０７】
したがって、図９に示すように、被写体が撮影者の意図する状態になっていれば、被写体に投影する第１のグループの光の円の大きさは、被写体には投影しない第２のグループの光（ＮＧ光）の円の大きさと異なることになる。もし、被写体に投影する第１のグループの光の円の大きさが、被写体には投影しない第２のグループの光（ＮＧ光）の円の大きさと同じであると判断した場合には、第２のグループの光が被写体に投影されていると判定できる。
【０１０８】
（１）撮影開始
制御部１３は、電源スイッチ等の入力部１６からの信号に応じて、撮影部１２の撮影開始指示を伝達する。撮影部１２は、制御部１３からの撮影開始指示に従って、撮影を開始し、入力される光を電気信号に変換し、撮影画像データ（例えば、動画）を生成し、解析部１５と表示部１７に出力する。なお、撮影画像データを、解析部１５の処理時間分等、遡って記憶部１４に記憶できるように、既定の時間分、一時的に記憶部１４に記憶しても良い。
【０１０９】
（２）画像表示
表示部１７は、撮影部１２から出力された撮影画像データを表示する。ここでは、表示部１７は、ファインダーとして機能する。
【０１１０】
（３）光線照射
制御部１３は、発光部１１に発光指示を伝達する。なお、実際には、制御部１３は、撮影部１２に撮影開始指示を伝達する際に、同時に／続けて、発光部１１に発光指示を伝達しても良い。発光部１１は、制御部１３からの発光指示に従って、複数の異なるグループの光線を照射する。更に、同じグループで複数の光線を照射しても良い。照射された各光線は、発光部１１の発光側に設けられたレンズを通して、距離が長くなるにつれて、投影される光の円が大きくなるように、広がっていく。
【０１１１】
（４）シャッターＯＮ
解析部１５は、撮影部１２から出力された撮影画像データに写る各光線の光の円とその光の色とその円の大きさを認識し、どの光の円がどのグループに所属する光の円か、どの光の円がどの程度の大きさか認識する。そして、第１のグループの光線の光の円が略同じ大きさに合致したと判断し、かつ、第２のグループの光線の光の円の大きさが、第１のグループの光線の光の円の大きさより、既定以上大きくなったと判断した場合（更に、「第２のグループの光線の光の円が略同じ大きさであると判断した場合」という条件を付加しても良い）、その時点の撮影画像データを記憶部１４に記憶する（シャッターＯＮする）。例えば、各々の光の円の直径を比較して、大きさがプラスマイナス５％以内の差異なら、誤差の範囲として略同じ大きさに合致すると判断しても良い。また、「既定以上」は、プラスマイナス５％を誤差の範囲とすると、その誤差の範囲より大きい値であることが望ましい。条件として「略同じ大きさ」とした理由は、高さが異なる首とお尻で若干大きさが異なる場合もあるためである。また、「既定以上」とした理由は、多少の違いだと足（脚）に光が照射されている場合もあるためである。
【０１１２】
［実施例］
例えば、入力部１６により選択された被写体がＢＣＳ測定をする犬の場合、犬に当てる第１のグループの光線と、犬に当てない第２のグループの光線（ＮＧ光）が、発光部１１から照射されるものとして説明する。
【０１１３】
なお、第１のグループには、頭に照射される光線「Ａ」と、首付近に照射される光線「Ｂ」と、胴体の右肩付近に照射される光線「Ｃ」と、胴体の左肩付近に照射される光線「Ｄ」と、胴体の背中（腹）付近に照射される光線「Ｅ」と、胴体のお尻付近に照射される光線「Ｆ」の６つの光線が含まれる。
【０１１４】
また、第２のグループには、犬の右横の床に照射される光線「Ｇ」が含まれる。
【０１１５】
ここでは、グループの違いを「光の色」で識別しているが、「光の周波数」や「発光間隔」の違い等で光線のグループの違いを認識しても良い。例えば、第１のグループの光線の色を赤とし、第２のグループの光線の色を緑としても良い。
【０１１６】
例えば、光線「Ａ」、「Ｂ」、「Ｃ」、「Ｄ」、「Ｅ」、「Ｆ」の赤い色の円が同じ大きさに合致したと判断し、光線「Ｇ」の緑色の円の大きさが（誤差の範囲を超えて）赤い円の大きさよりも大きいと判断した場合、光線「Ａ」、「Ｂ」、「Ｃ」、「Ｄ」、「Ｅ」、「Ｆ」が全て犬に照射されており、光線「Ｇ」が犬より低い床に照射されており、犬がＢＣＳ測定をする際の理想の直立不動の姿になっていると判定できる。
【０１１７】
また、光線「Ａ」、「Ｂ」、「Ｃ」、「Ｄ」、「Ｅ」、「Ｆ」の赤い色の円のうち、少なくとも１つの赤い色の円の大きさが（誤差の範囲を超えて）違う大きさであると判断した場合、赤色の光線が犬より低い床に照射されており、犬が曲がっている等理想の姿になっていないと判定できる。この場合、撮影者は、撮影装置１０の向きや犬の姿勢を動かして調整する。
【０１１８】
また、光線「Ｇ」の緑色の円のうち、少なくとも１つの緑色の円が赤い円と略同じ大きさの場合、緑色の光線が犬に照射されており、犬が理想の姿になっていないか、撮影する角度／向き／高さが違うことが判定できる。この場合、撮影者は、撮影装置１０の向きや犬の姿勢を動かして調整する。
【０１１９】
＜第６実施形態＞
以下に、本発明の第６実施形態について説明する。
【０１２０】
本実施形態では、撮影している間に、撮影画像データを「撮影者が確認」し、撮影画像データ内の被写体が撮影者の意図する状態であると確認できた場合、「撮影者の動作に応じて」、シャッターＯＮする。
【０１２１】
（１）撮影開始
制御部１３は、電源スイッチ等の入力部１６からの信号に応じて、撮影部１２の撮影開始指示を伝達する。撮影部１２は、制御部１３からの撮影開始指示に従って、撮影を開始し、入力される光を電気信号に変換し、撮影画像データ（例えば、動画）を生成し、解析部１５と表示部１７に出力する。なお、撮影画像データを、入力部１６のシャッターＯＮの検出処理に時間がかかることを考慮して、遡って記憶部１４に記憶できるように、既定の時間分、一時的に記憶部１４に記憶しても良い。
【０１２２】
（２）画像表示
表示部１７は、撮影部１２から出力された撮影画像データを表示する。ここでは、表示部１７は、ファインダーとして機能する。
【０１２３】
（３）光線照射
制御部１３は、発光部１１に発光指示を伝達する。なお、実際には、制御部１３は、撮影部１２に撮影開始指示を伝達する際に、同時に／続けて、発光部１１に発光指示を伝達しても良い。発光部１１は、制御部１３からの発光指示に従って、視覚的に異なる複数のグループの光線を照射する。すなわち、光線は、撮影者が肉眼で認識可能な「可視光線」であるものとする。更に、同じグループで複数の光線を照射しても良い。ここでは、視覚的に異なるグループの違いを「光の色」で識別する。例えば、第１のグループの光線の色を赤とし、第２のグループの光線の色を緑としても良い。また、実際には、視覚的に異なるグループの違いを「光の色」ではなく、投影された「光の円の大きさ」や「光の形状」で識別しても良い。例えば、第１のグループの光の形状を円とし、第２のグループの光の形状を星型としても良い。なお、実際には、複数のグループの光線ではなく、単一のグループの光線を照射しても良い。したがって、撮影者は、肉眼により、光線が被写体に照射されているか否か認識できる。或いは、制御部１３は、光線が被写体に照射されていると判断した場合、前述の「シャッターＯＮの通知」と同様に、何らかの動作を実施し、撮影者にシャッターＯＮすべきタイミングを通知するようにしても良い。
【０１２４】
（４）シャッターＯＮ
制御部１３は、複数のグループの光線を照射している時、入力部１６により、シャッターボタンの押下や撮影者からの既定の音声入力等のシャッターＯＮ指示が検出された場合、入力部１６がシャッターＯＮ指示を検出した時点で、撮影部１２から出力された撮影画像データを記憶部１４に記憶する（シャッターＯＮする）。なお、入力部１６のシャッターＯＮ指示の検出処理の時間分、遡って記憶部１４に記憶できるように、既定の時間分、一時的に記憶部１４に記憶していても良い。シャッターＯＮ指示が既定の音声入力の場合、予め既定の音声を記憶部１４に記憶しておき、制御部１３は、記憶された音声と入力された音声とを比較し、合致していると判断した場合、シャッターＯＮ指示が検出されたと判断する。
【０１２５】
［実施例］
例えば、入力部１６により選択された被写体がＢＣＳ測定をする犬の場合、犬に当てる第１のグループの光線と、犬に当てない第２のグループの光線（ＮＧ光）が、発光部１１から照射されるものとして説明する。但し、実際には、犬に当てる第１のグループの光線のみ、発光部１１から照射しても良い。
【０１２６】
なお、第１のグループには、頭に照射される光線「Ａ」と、首付近に照射される光線「Ｂ」と、胴体の右肩付近に照射される光線「Ｃ」と、胴体の左肩付近に照射される光線「Ｄ」と、胴体の背中（腹）付近に照射される光線「Ｅ」と、胴体のお尻付近に照射される光線「Ｆ」の６つの光線が含まれる。
【０１２７】
また、第２のグループには、犬の右横の床に照射される光線「Ｇ」と、犬の左横の床に照射される光線「Ｈ」の２つの光線が含まれる。
【０１２８】
光線「Ａ」、「Ｂ」、「Ｃ」、「Ｄ」、「Ｅ」、「Ｆ」の赤色の光線が全て犬に照射されており、光線「Ｇ」、「Ｈ」の緑色の光線は床に照射されている場合、犬がＢＣＳ測定をする際の理想の直立不動の姿になっていると判断できる。この場合、撮影者は、シャッターボタン等の入力部１６を押下、又は、音声入力可能な入力部１６に「シャッター」等の既定の音声入力をする。
【０１２９】
また、光線「Ａ」、「Ｂ」、「Ｃ」、「Ｄ」、「Ｅ」、「Ｆ」の赤い色の光線のうち、少なくとも１つの赤い色の光線が床に照射されている場合や、光線「Ｇ」、「Ｈ」の緑色の光線のうち、少なくとも１つの緑色の光線が犬に照射されている場合、犬が理想の姿になっていないか、撮影する角度／向き／高さが違うことが判明する。この場合、撮影者は、シャッターボタンの操作は行わず、撮影装置１０の向きや犬の姿勢を動かして調整する。
【０１３０】
＜各実施形態の関係＞
なお、上記の各実施形態は、組み合わせて実施することも可能である。また、端末の動作モードや機能の切り替え等により、実施形態を変更できるようにしても良い。
【０１３１】
＜付記＞
上記の実施形態の一部又は全部は、以下の付記のように記載することも可能である。但し、実際には、以下の記載例に限定されない。
【０１３２】
［付記１］
複数の光線を照射する発光部と、
被写体を撮影する撮影部と、
を備え、
前記撮影部は、複数の光線のうち、既定された光線が、被写体に照射されている時に、撮影されている画像を記憶部に記憶することを特徴とする撮影装置。
【０１３３】
［付記２］
光線を広げるレンズを備えた発光部と、
被写体を撮影し、撮影画像データを出力する撮影部と、
撮影部から出力された撮影画像データを解析する解析部と、
撮影画像データを記憶する記憶部と
を備え、
解析部は、撮影画像データに写る光線が既定の大きさに関する条件と認識した時の撮影画像データを記憶部に記憶することを特徴とする撮影装置。
【０１３４】
［付記３］
発光部は、複数の光線を照射し、
解析部は、撮影画像データに写る複数の光線のうち、全ての光線が同じ大きさと認識された時の撮影画像データを記憶部に記憶することを特徴とする撮影装置。
【０１３５】
［付記４］
発光部は、複数の光線を照射し、
解析部は、撮影画像データに写る複数の光線のうち、特定の第１の光線が認識され、かつ、第２の光線が認識されない時の撮影画像データを記憶部に記憶することを特徴とする撮影装置。
【０１３６】
［付記５］
発光部は、複数の光線を照射し、
解析部は、撮影画像データに写る複数の光線のうち、特定の第１の光線より、第２の光線が大きいと認識した時の撮影画像データを記憶部に記憶することを特徴とする撮影装置。
【０１３７】
［付記６］
視覚的に異なる複数の光線を照射する発光部と、
被写体を撮影する撮影部と、
撮影部のシャッターＯＮを指示する入力部と、
撮影部が撮影した撮影画像データを記憶する記憶部と、
入力部が指示した時に撮影部で撮影された撮影画像データを記憶部に記憶する制御部と、
を備えることを特徴とする撮影装置。
【０１３８】
［付記７］
制御部は、入力部に入力された音が、既定された音であると認識した際に、撮影部で撮影された撮影画像データを記憶部に記憶することを特徴とする撮影装置。
【０１３９】
＜備考＞
以上、本発明の実施形態を詳述してきたが、実際には、上記の実施形態に限られるものではなく、本発明の要旨を逸脱しない範囲の変更があっても本発明に含まれる。
【符号の説明】
【０１４０】
１０…  撮影装置
１１…  発光部
１２…  撮影部
１３…  制御部
１４…  解析部
１５…  記憶部
１６…  入力部
１７…  表示部
１８…  調整部
１９…  音出力部
【図１】
2014192730.tif 000003
【図２】
2014192730.tif 000004
【図３】
2014192730.tif 000005
【図４】
2014192730.tif 000006
【図５】
2014192730.tif 000007
【図６】
2014192730.tif 000008
【図７】
2014192730.tif 000009
【図８】
2014192730.tif 000010
【図９】
2014192730.tif 000011